(57)【要約】【課題】確実かつ強固にドアの開き方向の回動を止め、また、ドアの位置を固定できるドアストッパーの提供。【解決手段】ドアストッパー１は、凹部と磁石と受け部材とが設けられたドア用部材１０を有しており、また、床９１に固定可能な台座と、前記台座に接続された突出部２４とが設けられたストッパー部材１１を有している。そして突出部２４が磁石に吸着され、受け部材を基準にして確実に凹部と係合する。さらに、受け部材が係合後の突出部２４の姿勢を保持することで強固にドアの位置を固定することができる。【選択図】図１
2010138572.tif 000002
【特許請求の範囲】
【請求項１】
ドア側に取り付けられるドア用部材と、床側に取り付けられるストッパー部材とを有し、前記ドア用部材はドアに固定される本体部材と、磁石とを備え、前記磁石は本体部材の底面側に設けられており、さらに本体部材の底面側に係合部があり、前記ストッパー部材は、床に固定可能な台座と、前記台座に接続された突出部が設けられており、ドアが開いてドア用部材がストッパー部材に接近すると、前記突出部が前記ドア用部材の磁石に吸引され前記本体部材の底側に引き寄せられて前記突出部の一部が前記係合部と当接し、ドアの開き方向への移動を阻止するドアストッパーにおいて、
前記係合部は、ドアが構成する平面に対して離れる方向に延びる上面壁部と、前記上面壁部よりも低い位置であって上面壁部と対向する位置に設けられた受け部と、前記上面壁部と受け部との間を繋ぐ当接壁部を有し、前記上面壁部と当接壁部と受け部との間で係合空間を形成し、前記ストッパー部材の突出部が前記係合空間に係合してドアの開き方向への移動を阻止することを特徴とするドアストッパー。
【請求項２】
ストッパー部材の突出部は、前記台座に揺動可能に接続された揺動板と、前記揺動板に揺動可能に接続して前記磁石に吸引可能な移動板により構成され、ドア用部材は、前記当接壁部と対向する位置に後退阻止壁が設けられ、前記揺動板が磁石に吸引されることで前記当接壁部と当接してドアの開き方向への移動を阻止するとともに、磁石によって移動板が姿勢変更し、移動板の一部が後退阻止壁と当接してドアの閉じ方向への移動を阻止することを特徴とする請求項１に記載のドアストッパー。
【請求項３】
磁石は２箇所以上に設けられ、一か所は前記上面壁部であり、他の一か所はドアからの距離が前記後退阻止壁よりも遠い位置であることを特徴とする請求項２に記載のドアストッパー。
【請求項４】
ドアからの距離が前記後退阻止壁よりも遠い位置に設けられた磁石は、他の磁石よりも下の位置にあることを特徴とする請求項３に記載のドアストッパー。
【請求項５】
磁石は前記ストッパー部材側に向いて露出する様に配置され、ドアの閉じ方向への移動が可能な状態にすることができる解除機構部を有し、解除機構部は、前記本体部材の当接壁部と後退阻止壁との間に設けられた穴と、当該穴から突出・没入する解除部材を有し、前記解除部材が穴から突出して前記当接壁部と前記後退阻止壁の間にあるとき、前記解除部材が前記移動板を押圧することで前記移動板が前記後退阻止壁に当接することを妨げることを特徴とする請求項２乃至４に記載のドアストッパー。
【請求項６】
磁石は前記ストッパー部材側に向いて二つの磁石の同じ極側が露出する様に配置され、前記揺動板が前記後退阻止壁に係合した際、前記移動板の一端が一方の磁石に接することで磁化され、前記移動板の他端が接触していない磁石の露出していない極に吸引されることで前記移動板が姿勢変更することを特徴とする請求項２乃至５に記載のドアストッパー。
【発明の詳細な説明】
【技術分野】
【０００１】
本発明はドアの移動範囲の制限やドアの開放状態の維持を行うドアストッパーに関するものである。
【背景技術】
【０００２】
開き扉を設置する場合、開き扉を開いた状態に保つ、また、特定した範囲外で開き扉を回動させないようにする等の課題を解決するために様々なドアストッパーが設けられている。
これらのドアストッパーの中には掃除の時に邪魔にならない、部屋の景観を損ねない等の理由で出没自在のものがある。そして、そのようなドアストッパーの構成に磁石が用いられることがある。
たとえば、磁石を用いた出没自在のドアストッパーにおいて、ドアを全開位置に固定でき、さらにロックできるドアストッパーが特許文献１に開示されている。
【特許文献１】特開２００４−３１６１４７
【発明の開示】
【発明が解決しようとする課題】
【０００３】
しかし、特許文献１に記載のドアストッパーは、床に取り付けたストッパー部材の突出部の吸着と吸着後の姿勢の保持を磁力のみで行うため、突出部の姿勢の保持が安定しない場合があった。たとえば、ドアに想定外の強風などの強い力が加わった際、磁石で吸着している突出部がずれ、ドアのロックが外れたりするという問題があった。
また、全開位置以外の場所でドアの位置を固定しようとした場合に特許文献１に記載のドアストッパーを用いると、想定外の速い速度で回動した場合等に、突出部の先端が最初に接触する天面部の位置がずれる等の理由で、接触部の係合凹部への収納が規定通りにできずにドアの位置が固定されない場合があるという問題があった。
そこで本発明は、上記の問題を解消するために確実かつ強固にドアの位置を固定できるドアストッパーを提供することを目的とするものである。
【課題を解決するための手段】
【０００４】
上記課題を解決するための請求項１の発明は、ドア側に取り付けられるドア用部材と、床側に取り付けられるストッパー部材とを有し、前記ドア用部材はドアに固定される本体部材と、磁石とを備え、前記磁石は本体部材の底面側に設けられており、さらに本体部材の底面側に係合部があり、前記ストッパー部材は、床に固定可能な台座と、前記台座に接続された突出部が設けられており、ドアが開いてドア用部材がストッパー部材に接近すると、前記突出部が前記ドア用部材の磁石に吸引され前記本体部材の底側に引き寄せられて前記突出部の一部が前記係合部と当接し、ドアの開き方向への移動を阻止するドアストッパーにおいて、
前記係合部は、ドアが構成する平面に対して離れる方向に延びる上面壁部と、前記上面壁部よりも低い位置であって上面壁部と対向する位置に設けられた受け部と、前記上面壁部と受け部との間を繋ぐ当接壁部を有し、前記上面壁部と当接壁部と受け部との間で係合空間を形成し、前記ストッパー部材の突出部が前記係合空間に係合してドアの開き方向への移動を阻止することを特徴とするドアストッパーである。
【０００５】
請求項１の発明では、係合部に上面壁部よりも低い位置であって上面壁部と対向する位置に受け部を設けているため、磁力によって吸着されたストッパー部材の突出部が上面壁部と摺動した後に受け部と係合することで、ドアの回動を阻止する際に突出部が配置される位置が決まる。したがって、当該突出部が最初に接触する部分が上面壁部のいずれの位置でも、突出部を規定の位置に配置することができる。
また、突出部が係合空間内に配置された後は、受け部は当該突出部が下方へ移動することを防ぐので、突出部が上面壁部と接触している面積や磁力の強さにかかわらず、突出部の配置位置を保つことができる。したがって、より強固にドアの位置を固定することができる。
【０００６】
請求項２の発明は、ストッパー部材の突出部は、前記台座に揺動可能に接続された揺動板と、前記揺動板に揺動可能に接続して前記磁石に吸引可能な移動板により構成され、ドア用部材は、前記当接壁部と対向する位置に後退阻止壁が設けられ、前記揺動板が磁石に吸引されることで前記当接壁部と当接してドアの開き方向への移動を阻止するとともに、磁石によって移動板が姿勢変更し、移動板の一部が後退阻止壁と当接してドアの閉じ方向への移動を阻止することを特徴とする請求項１に記載のドアストッパーである。
【０００７】
請求項２の発明では、ストッパー部材の突出部は、前記台座に揺動可能に接続された揺動板と、前記揺動板に揺動可能に接続して前記磁石に吸引可能な移動板により構成されているのでストッパー部材の厚みを薄くすることができる。
また、移動板の姿勢変更を磁石によって行うため、より確実且つ円滑に姿勢変更することができ、移動板の姿勢変更後の姿勢が安定する。そのため、確実にドアの閉じ方向への移動を阻止できる。
【０００８】
請求項３の発明は、磁石は２箇所以上に設けられ、一か所は前記上面壁部であり、他の一か所はドアからの距離が前記後退阻止壁よりも遠い位置であることを特徴とする請求項２に記載のドアストッパーである。
【０００９】
請求項３の発明では、磁石は２箇所以上に設けられ、一か所は前記上面壁部であり、他の一か所はドアからの距離が前記後退阻止壁よりも遠い位置であるため、磁石の前記突出部を持ち上がった状態にさせる役割と、前記移動板の姿勢を変更した上でその姿勢を保持する役割を各磁石に分担できる。そのため、より容易に突出部を規定の位置に配置することができる。
【００１０】
請求項４の発明は、ドアからの距離が前記後退阻止壁よりも遠い位置に設けられた磁石は、他の磁石よりも下の位置にあることを特徴とする請求項３に記載のドアストッパーである。
【００１１】
請求項４の発明では、ドアからの距離が前記後退阻止壁よりも遠い位置に設けられた磁石は、他の磁石よりも下の位置にあるため、床に設けられた前記ストッパー部材に近い位置にある。そのため、突出部をより確実に持ち上げることができる。
【００１２】
請求項５の発明は、磁石は前記ストッパー部材側に向いて露出する様に配置され、ドアの閉じ方向への移動が可能な状態にすることができる解除機構部を有し、解除機構部は、前記本体部材の当接壁部と後退阻止壁との間に設けられた穴と、当該穴から突出・没入する解除部材を有し、前記解除部材が穴から突出して前記当接壁部と前記後退阻止壁の間にあるとき、前記解除部材が前記移動板を押圧することで前記移動板が前記後退阻止壁に当接することを妨げることを特徴とする請求項２乃至４に記載のドアストッパーである。
【００１３】
請求項５の発明では、ドアの閉じ方向への移動が可能な状態にすることができる解除機構部を有し、解除機構部は、前記本体部材の当接壁部と後退阻止壁との間に設けられた穴と、当該穴から突出・没入する解除部材を有し、前記解除部材が穴から突出して前記当接壁部と前記後退阻止壁の間にあるとき、前記解除部材が前記移動板を押圧することで前記移動板が前記後退阻止壁に当接することを妨げる。そのため、磁石を前記ストッパー部材側に向いて露出する様に配置して移動板を強力に吸着した場合や、前記の構成でドアの位置を強固に固定した場合においても、ドアの位置の固定を容易に解除できる。
【００１４】
請求項６の発明は、磁石は前記ストッパー部材側に向いて二つの磁石の同じ極側が露出する様に配置され、前記揺動板が前記後退阻止壁に係合した際、前記移動板の一端が一方の磁石に接することで磁化され、前記移動板の他端が接触していない磁石の露出していない極に吸引されることで前記移動板が姿勢変更することを特徴とする請求項２乃至５に記載のドアストッパーである。
【００１５】
請求項６の発明では、磁石は前記ストッパー部材側に向いて二つの磁石の同じ極側が露出する様に配置され、前記揺動板が前記後退阻止壁に係合した際、前記移動板の一端が一方の磁石に接することで磁化され、前記移動板の他端が接触していない磁石の露出していない極に吸引されることで前記移動板が姿勢変更するので、移動板の姿勢変更を円滑かつ確実に行うことができ、また姿勢変更後の移動板の姿勢が安定する。そのため、ドアの位置をより強固に固定できる。
【発明の効果】
【００１６】
本発明のドアストッパーによれば、床面に設置された突出部がドア用部材と係合する際に、受け部により、突出部が配置される位置を調整することができ、配置後の突出部の姿勢を維持できるため、ドアの位置の固定やドアの回動の制限を強固かつ確実に実行できる。
【発明を実施するための最良の形態】
【００１７】
以下さらに本発明の具体的実施例について説明する。なお、説明は実施形態の理解を容易にするためのものであり、これによって、本願発明が制限して理解されるべきではない。図１は、本発明のドアストッパーをドアに設置した状態での斜視図である。図２は、図１のドアストッパー付近を拡大した斜視図である。図３は、図２の状態からドアを開放方向に移動させた状態での、ドアストッパー付近を拡大した斜視図である。図４は（ａ）は図３の状態からさらにドアを開放方向に移動させて、ドアを固定した状態のドアストッパー付近を拡大した斜視図であり、（ｂ）は（ａ）の状態で、ストッパー部材を示した斜視図である。図５は、ドア用部材の斜視図である。図６は、ドア用部材の分解斜視図である。図７は、解除部材の斜視図である。図８は、図５のドア用部材を９０度傾斜させた状態の斜視図である。図９は、ストッパー部材の斜視図である。図１０は、ストッパー部材の分解斜視図である。図１１〜１４はドアストッパーをドアの移動方向に対して垂直方向から見た模式図である。
【００１８】
本発明のドアストッパー１は、図１に示されるように、ドア用部材１０とストッパー部材１１とを有している。そして、ドア用部材１０はドア９０に固定され、ストッパー部材１１は床９１に固定されて使用される。
詳しく説明すると、ドア用部材１０をドア９０の下縁９０ａ付近に設置して、ストッパー部材１１を床９１上であってドア９０の回動に伴って設置されたドア用部材１０が移動する軌道上の任意の位置に設置する。そして図２〜図４に示すように、ドア９０を開いていくとドア用部材１０がストッパー部材１１の上側を通過する。そして、ストッパー部材１１の突出部２４がドア用部材１０の本体部材１４に設けられる凹部１３（係合部）（図８参照）に係合してドア９０の回動を止める。
【００１９】
以下、ドア用部材１０とストッパー部材１１の構成、ドアストッパー１の使用方法についてそれぞれ説明する。
【００２０】
まず、ドア用部材１０について説明する。ドア用部材１０には、本体部材１４、磁石２０ａ、磁石２０ｂ、解除部材３２、受け部材９が設けられている。
【００２１】
本体部材１４は、図５や図６に示されるように、解除部材３２が取り付けられている方向を前方として、後方と下方に淵部３５を有する略直方体形状である。また、本体部材１４には軸孔３８が設けられており、軸孔３８の貫通方向はドア９０に取り付けられた状態でドア９０及び床９１に対して平行な方向に向いている。
また、淵部３５には本体部材１４の後方に位置する部分に固定孔３７が設けられており、ドア用部材１０をドア９０に固定する際には固定孔３７にネジ３６を貫通させて行う。
さらに本体部材１４は下側にストッパー部材１１の突出部２４と係合するための凹部１３を持つ。
【００２２】
図６や図８に示されるように凹部１３は本体部材１４の下側に設けられ、開口状であり、略長方形の形状をしている。そして、凹部１３は磁石収納部１３ａ、解除部材収納部１３ｂ、受け部材収納部１３ｃ、磁石収納部１３ｄを有している。さらに、解除部材収納部１３ｂには位置決め部材配置穴３９が設けられている。
【００２３】
さらに凹部１３には開口部１６、天面部１７（上面壁部）、第１側面部１８（当接壁部）、第２側面部１９（後退阻止壁）が設けられている。そして、天面部１７はドア用部材１０がドア９０に取り付けられた際に、ドアを構成する平面に対して離れる方向に延びている。
また、第１側面部１８と第２側面部１９は開口部１６と天面部１７の間に位置して、第１側面部１８と第２側面部１９とは対向する位置関係である。つまり、ドア用部材１０がドア９０に取り付けられると、第１側面部１８はドア９０側、第２側面部１９はドアの開き方向の前方側となるような位置関係になる。
さらに、凹部１３のドア９０の開き方向の前方にある開口部１６の淵部分には傾斜部１５が設けられている。この部分は他の開口部１６の淵部分に比べて開口部１６の中心方向に厚みがあり、開口部１６の外側を上方として、開口部１６の中心方向に向かって傾きを持つ面になっている。
【００２４】
前記磁石収納部１３ａと磁石収納部１３ｄはそれぞれ略直方体状の凹部である。また、磁石収納部１３ａは磁石２０ａの外形とほぼ同じ大きさであり、磁石収納部１３ｄは磁石２０ｂの外形とほぼ同じ大きさである。さらにまた、磁石収納部１３ａには磁石２０ａが収納され、磁石収納部１３ｄには磁石２０ｂが収納される。磁石収納部１３ａは傾斜部１５に配置され、磁石収納部１３ｄは第１側面部１８付近の天面部１７に配置される。
磁石収納部１３ａに磁石２０ａが配置されて磁石収納部１３ｄに磁石２０ｂが配置されると図８に示されるように、磁石２０ａの表面が傾斜部１５と略同一平面上になり、磁石２０ｂの表面が凹部１３の天面部１７と略同一平面上になる。つまり、磁石２０ａと磁石２０ｂの露出面がそれぞれ傾斜部１５や天面部１７の一部となる。
このとき配置される磁石２０ａと磁石２０ｂの露出面の極性は同じになるようにする。
【００２５】
前記解除部材収納部１３ｂは、後述する解除部材３２が収納される部分であり、本体部材１４の開口１４ａにつながっている。
【００２６】
前記受け部材収納部１３ｃは、略直方体状の凹部であり、後述する受け部材９の一部を収納することで受け部材９を固定する。この受け部材収納部１３ｃは第１側面部１８付近に配置される。
受け部材収納部１３ｃに受け部材９が収納されると図８に示すように、受け部材９が一部露出した状態で固定される。詳しく説明すると、受け部材９は露出した部分も略「Ｌ」字型となっており、第１側面部１８と平行方向の面の一部と折り曲げ部分と第１側面部１９と垂直な面が露出している。この露出している部分が受け部８となる。また、このとき受け部８と天面部１７の間に形成される空間を係合空間２１とする。
【００２７】
受け部材９は図６で示されるように側面が略「Ｌ」字型となっており、側面に対して垂直方向に厚みを持つ部材である。すなわち、板状部材の一部を約９０度折り曲げた形状となっている。
【００２８】
磁石２０ａと磁石２０ｂは永久磁石であり、略直方体である。それぞれの磁石には磁力が強いものが用いられ、ドア用部材１０がストッパー部材１１に接近すると磁石２０ａがストッパー部材１１の突出部２４を吸着する。
【００２９】
解除部材３２は図６、図７に示されているように、側面が略扇型であり側面と垂直方向に厚みを持つ柱状である。さらに、扇の中心部分に操作部３２ａが接続されている。そして、３２ａの付け根部分であって扇の中心部分に貫通孔３２ｂが設けられている。また、扇の円弧部分に垂直な面に２箇所の位置決め用凹部３２ｃが設けられている。
【００３０】
そして、解除部材３２は、本体部材１４の解除部材収納部１３ｂに収納され、軸４５を用いて本体部材１４と揺動可能に連結される。具体的には、解除部材３２を、操作部３２ａが開口１４ａから外部にはみ出すような状態となるように、本体部材１４の開口部１６から挿入して、貫通孔３２ｂと軸孔３８が同一軸上となるようにして、軸４５を貫通孔３２ｂ及び軸孔３８に挿入して行う。
そうして本体部材１４に解除部材３２を接続すると、解除部材３２は軸４５を中心として揺動可能になり、この解除部材３２の揺動は開口１４ａからはみ出している操作部３２ａによって行うことができる。
【００３１】
また、解除部材収納部１３ｂには、解除部材３２の揺動を、所定の位置で節度を持って止めることができるように位置決め手段４０が設けられている。位置決め手段４０は、図６に示されるように、ボール４１、ばね４２及び固定部材４３により構成されている。そして、解除部材収納部１３ｂの位置決め部材配置穴３９に固定部材４３、ばね４２、ボール４１の順に挿入する。この状態で上記のように解除部材３２を本体部材１４に接続すると、ボール４１は解除部材３２に接触しながら解除部材３２に向かって付勢される。
そして、付勢されたボール４１が位置決め用凹部３２ｃに入り込むことで解除部材３２の位置が決まる。この解除部材３２の位置は解除部材３２の突出位置及び退入位置となるものである。
上記の解除部材３２と位置決め手段４０、解除部材収納部１３ｂが解除機構部となる。
【００３２】
次にストッパー部材１１について説明する。ストッパー部材１１は図９、図１０に示されているように、台座２２と、揺動板２３と移動板２５からなる突出部２４が設けられている。また、揺動板２３は台座２２と揺動軸２６によって揺動可能に接続されており、移動板２５は移動軸２７によって揺動板２３と揺動可能に接続されている。
そして、突出部２４が前記ドア用部材１０の凹部１３と係合してドアの移動を阻止する。このとき突出部２４の突出は前記磁石２０ａの磁力によって行い、突出部２４の退入は重力により行われる。
【００３３】
台座２２は固定可能であり、台座２２を床９１に固定することにより、ストッパー部材１１を固定することができる。具体的に説明すると、台座２２には固定用孔３０が設けられており、固定用孔３０にネジ３６を挿通して床９１と固定することで台座２２を床９１に固定する。
また、台座２２には突出部２４を収納できる収納凹部２８が設けられている。収納凹部２８は床９１への固定側とは反対側に位置し、台座２２が床９１に固定された状態では、上側に位置している。そして、図９に示すように突出部２４が収納凹部２８に収納されるとストッパー部材１１の上側は略平面状となる。
台座２２には、固定軸２６が挿入可能な固定軸用貫通孔４８が設けられている。
【００３４】
移動板２５は、長方形の板状の部材である。なお、移動板２５は磁性体である。移動板２５の大きさはドア用部材１０の凹部１３の大きさより小さく、凹部１３に収納可能な大きさである。
また、移動板２５には移動軸用挿入孔５２が設けられており、移動軸用挿入孔５２は、移動軸２７が挿入可能である。
【００３５】
揺動板２３は、略「コ」字形の板状の部材であり、揺動板２３「コ」字の内側の切り欠き部分２３ａは、移動板の外形とほぼ同一である。
また、揺動板２３には、固定軸用挿入孔５０と２ヵ所の移動軸用挿入孔５１が設けられている。固定軸用挿入孔５０は、固定軸２６が挿入可能であり、移動軸用挿入孔５１は、移動軸２７が挿入可能である。そして、揺動板２３と移動板２５とを板面を同一にしながら合わせると、全体の形状は長方形状であって収納凹部２８とほぼ同一の形状となり、２ヵ所の移動軸用挿入孔５１の間に移動軸用挿入孔５２が位置して直線状となって、固定軸用挿入孔５０と略平行となる。
【００３６】
そして、台座２２の固定軸用貫通孔４８と揺動板２３の固定軸用挿入孔５０の位置を合わせて、固定軸２６を挿入する。そうすると、台座２２と揺動板２３とが接続し、固定軸２６を中心として揺動可能となる。
また、揺動板２３の移動軸用挿入孔５１と移動板２５の移動軸用挿入孔５２の位置を合わせて、移動軸２７を挿入する。そうすると、揺動板２３と移動板２５とが接続し、移動軸２７を中心として揺動可能となる。また、固定軸２６と移動軸２７はほぼ平行に位置している。
【００３７】
つまり、移動板２５と台座２２とは揺動板２３を介して接続し、固定軸２６と移動軸２７の２ヵ所で揺動可能である。したがって、揺動板２３と台座２２との相対角度を大きくすることにより、移動板２５と台座２２との距離を変更することができる。また、固定軸２６と移動軸２７はほぼ平行であり、移動板２５と揺動板２３との相対角度を、揺動板２３と台座２２との相対角度とほぼ同じ角度とすることにより、移動板２５の面と台座２２の面とを平行にしながら移動板２５と台座２２との距離を変えることができる。
また、移動板２５は揺動板２３の位置にかかわらず突出・退入可能である。
【００３８】
また、上記のように台座２２、揺動板２３及び移動板２５を接続して台座２２の収納凹部２８を上側にすると、揺動板２３及び移動板２５は収納凹部２８に収納される。
【００３９】
ドアストッパー１の使用方法について説明する。
まず、ドアストッパー１をドア９０に取り付ける。具体的にはドア用部材１０の凹部１３を床９１側に向け、且つ軸孔３８の貫通方向がドア９０及び床９１に対して平行な方向になるようにした状態で、ネジ孔３７にネジ３６を挿通してネジ３６とドア９０を固着することでドア用部材１０を取り付ける。
次にストッパー部材１１を、前記ドア９０が回動する際のドア用部材１０の移動軌道上に配置して、固定軸用貫通孔４８の貫通方向がドア用部材１０の移動方向に対して垂直になり、固定軸２６が移動軸２７よりドア用部材１０の移動方向の前方になるようにした状態で、固定用孔３０にネジ３６を挿通してネジ３６と床９１を固着することでストッパー部材１１を取り付ける。
このときドア用部材１０とストッパー部材１１の垂直方向の距離は、突出部２４が凹部１３と係合できる範囲内とする。
【００４０】
そして、図１１〜図１４を用いて、ドアの位置を固定する際のドアストッパー１の動きについて説明する。なお、図１１〜図１４において左側がドア９０側であり、ドア９０を開くとドア用部材１０が右に移動する。
ドア用部材１０とストッパー部材１１が離れている場合、図１１に示されるように、ストッパー部材１１の突出部２４（揺動板２３及び移動板２５）は、台座２２の収納凹部２８に収まっている。なお、図１１に示す状態では、ドア用部材１０の解除部材３２は、退入状態であり、位置決め手段４０により位置決めされている。
【００４１】
図１１に示される状態から、ドア９０を開くと図１２に示されるように、傾斜部１５に設けられた磁石２０ａに突出部２４（揺動板２３及び移動板２５）が吸着されて、傾斜部１５と係合する。
【００４２】
図１２に示される状態から、さらにドア９０を開くと突出部２４が傾斜部１５と摺動して突出部２４はドア用部材１０に対して相対的に左上方向に進み、突出部２４は第１側面部１８に付近に配置された磁石２０ｂに吸引される。そのままドア９０を開き続けると、ドア用部材１０が右に移動することと、突出部２４が第１側面部１８に付近に配置された磁石２０ｂに吸引されることにより、突出部２４が凹部１３の天面部１７と摺動し、ドア用部材１０対して相対的に左方向に進み、第１側面部１８又は受け部材９と当接することでドア９０の回動が止まる。そして突出部２４は天面部１７と受け部材９により構成される係合空間２１に係合する。この状態を示した図が図１３である。
【００４３】
図１３に示される状態では、移動板２５は第１側面部１８に付近に配置された磁石２０ｂにより磁化されており、移動軸２７側の端部が磁石２０ｂの露出面と異なる極性を持ち、端部２５ａが磁石２０ｂの露出面と同じ極性を持つ。したがって、移動板２５の端部２５ａが傾斜部１５に設けられた磁石２０ａの露出面と対向する位置にある面に吸引される。このことより移動板２５は床９１に対して平行な姿勢を確実かつ強固に保持する。
【００４４】
前述のように移動板２５が凹部１３に係合し、且つ床９１に対して平行になっている状態では、ドア９０が開き方向に回動しようとする際は、移動板２５の移動軸２７側の端部が受け部材９又は、第１側面部１８に当接するため、ドア９０が回動することができない。また、ドア９０が閉じ方向に回動しようとする際は、移動板２５の端部２５ａが第２側面部１９に当接するため、同じくドア９０が回動することができない。したがって、この状態においてドア９０の位置は強固にロックされる。
【００４５】
ここで、凹部１３には受け部材９が設けてあるため、図１２で示される状態からドア９０を開いた際、ドア９０が想定外の速い速度で回動する等の理由で、突出部２４が天面部１７と摺動しなかった場合や、第１側面部１８の付近に配置された磁石２０ｂに吸着されなかった場合などでも、突出部２４が受け部材９の折り曲げられている部分より上方の位置で第１側面部１８又は受け部材９に当接すれば、突出部２４の一部が天面部１７と受け部材９により構成される係合空間２１に配置される。したがって、より確実にドア９０の開き方向への回動を阻止することができる。
また、図１３で示される状態から突出部２４や移動板２５が、磁石２０ｂの磁力が弱くなった等の理由で磁石２０ｂから離れた場合でも、受け部材９が突出部２４の下方への移動を防ぐため、より確実にドア９０の開き方向への回動を阻止する状態を維持できる。
【００４６】
上記のロックした状態を解除してドア９０を閉じるには、まず図１３の状態から解除部材３２を操作して突出状態とする。すると移動板２５が解除部材３２に押圧されることで移動板２５の端部２５ａが下方へさがる。したがって、移動板２５は床９１に対して平行な姿勢でなくなり、端部２５ａは解除部材３２に接触した状態となる。また、この状態では端部２５ａの第２側面部１９への当接が妨げられる。この状態を示した図が図１４である。
【００４７】
図１４の状態でドア９０に対して閉める方向に力を加えるとドア９０を閉じることができる。
詳しく説明すると、図１４の状態でドア９０に閉める方向に力を加えると、ドア用部材１０が左側に移動することで移動板２５の端部２５ａが解除部材３２と摺動し、次に傾斜部１５と摺動する。これは解除部材３２の一部と傾斜部１５の床９１に対する傾きがほぼ同じであるためである。さらにドア９０に閉める方向に力を加えると、突出部２４を含めたドアストッパー１はドア９０の移動を妨げないので、ドア９０を閉じることができる。
つまり、突出状態の解除部材３２は、移動板２５の端部２５ａが第２側面部１９に当接することを妨げる効果とドア９０が閉じ方向に移動する際、突出部２４がその移動を妨げないように誘導する効果を持つ。
【００４８】
ここで、図１１に示される状態において解除部材３２を突出状態とした場合について述べる。解除部材３２が突出状態のままドアが開く方向に回動すると、傾斜部１５に設けられた磁石２０ａに突出部２４が吸着されて、傾斜部１５と係合する。
次に突出部２４が傾斜部１５と摺動後、解除部材３２と摺動する。さらに、突出部２４はドア用部材１０に対して相対的に左上方向に進み、第１側面部１８に付近に配置された磁石２０ｂに吸引される。そのままドア９０を開き続けると、ドア用部材１０が右に移動することと、突出部２４が第１側面部１８に付近に配置された磁石２０ｂに吸引されることにより、突出部２４が凹部１３の天面部１７と摺動し、ドア用部材１０対して相対的に左方向に進み、第１側面部１８又は受け部材９と当接することでドア９０の回動が止まる。そして突出部２４は天面部１７と受け部材９により構成される係合空間２１に係合する。
つまり、解除部材３２が突出状態であってもドア９０の開き方向への回動を阻止する作用、効果に影響を与えない。したがって、解除部材３２の状態に関わらずドア９０はストッパー部材１１を配置した位置より開き方向へ回動しない。
【００４９】
ドアストッパー１はこのように構成されているので、以下のように使用可能である。
解除部材３２を退入状態で使用することで、ドア９０を回動軌道上の任意の位置で回動不可能な状態に固定することができる。また、この状態は解除部材３２が退入状態である間は強固に維持されるが、解除部材３２を突出状態にすることで容易に解除することができる。
解除部材３２を突出状態で使用することで、指定した位置より開かないようにドア９０の回動を制限することができる。
【００５０】
また、磁石２０ａが傾斜部１５に設けられているため、ドア用部材１０がストッパー部材１１に接近していく際に、磁石２０ｂだけが設けられている構成と比べて、ドア用部材１０とストッパー部材１１間の距離がより離れている状態から突出部２４が突出を開始するので、ドア９０が想定以上に速い速度で回動した際に突出が間に合わない等の問題をより確実に防ぐことができる。
【００５１】
前述の説明では、受け部材９は側面が略「Ｌ」字型である板状部材の一部を約９０度折り曲げた形状となっているが、この角度は９０度に限るものではない。たとえば、天面部１７や、天面部１７に対向する方向に向かって傾斜してもよい。
また、受け部材９の形状は前述の形状に限るものではない。例えば、受け部材９の側面が略「コ」字状の部材を用いてもよい。それに伴って、受け部材収納部１３ｃの形状も受け部材９の形状に対応する形状に変えてもよい。
つまり、ストッパー部材１１の突出部２４と係合する際に突出部２４の係合する位置の決定を支援し、係合した後の突出部２４の姿勢を維持すればよい。
【００５２】
上記したドア用部材１０は、ドア９０の表面に取り付けられているがドア９０の内部に空間を設けてその中に取り付けてもよい。
【００５３】
上記の説明において、解除部材３２は、操作部３２ａと一体形成されているが、操作部３２ａを別部材としてもよい。つまり、操作部３２ａを操作することによって解除部材の突入状態と退出状態の切り替えができればよい。
【００５４】
上記の説明では、磁石収納部を２つ設けているが磁石収納部の数は２つである必要はない。配置する磁石の数や位置、形状は任意であり、配置する磁石の数だけ磁石の形状に合わせた磁石収納部を設けてよい。つまり、ドア９０が開き方向に回動し、ドア用部材１０がストッパー部材１１に近づいた際に確実に突出部２４を突出でき、且つ突出部２４と凹部１３が係合した際に移動板２５の姿勢変更と姿勢変更後の姿勢を保持するように機能すればよい。
また、前述の説明では、ストッパー部材１１の突出部２４は、揺動板２３と移動板２５によって構成され、揺動板２３が台座２２に揺動軸２６によって揺動可能に接続されており、移動板２５は移動軸２７によって揺動板２３と揺動可能に接続されていて、収納凹部２８にストッパー部材１１の上側が略平面となる形で収納できるものであったが、突出部の構成はこれに限るものではない。つまり、突出部２４が突出してドア用部材１０の凹部１３に係合することができればよい。したがって、接続する揺動軸２６、移動軸２７の位置や揺動板２３、移動板２５の形状を変えてもよい。例えば、移動板２５に解除部材収納部１３ｂの開口部分と係合するような鉤状の部位を設けてもよい。
【図面の簡単な説明】
【００５５】
【図１】本発明のドアストッパーをドアに設置した状態での斜視図である。
【図２】図１のドアストッパー付近を拡大した斜視図である。
【図３】図２の状態からドアを開放方向に移動させた状態での、ドアストッパー付近を拡大した斜視図である。
【図４】（ａ）は図３の状態からさらにドアを開放方向に移動させて、ドアを固定した状態のドアストッパー付近を拡大した斜視図であり、（ｂ）は（ａ）の状態で、ストッパー部材を示した斜視図である。
【図５】ドア用部材の斜視図である。
【図６】ドア用部材の分解斜視図である。
【図７】解除部材の斜視図である。
【図８】図５のドア用部材を９０度傾斜させた状態の斜視図である。
【図９】ストッパー部材の斜視図である。
【図１０】ストッパー部材の分解斜視図である。
【図１１】ドアストッパーをドアの移動方向に対して垂直方向から見た模式図である。
【図１２】ドアストッパーをドアの移動方向に対して垂直方向から見た模式図である。
【図１３】ドアストッパーをドアの移動方向に対して垂直方向から見た模式図である。
【図１４】ドアストッパーをドアの移動方向に対して垂直方向から見た模式図である。
【符号の説明】
【００５６】
１  ドアストッパー
８  受け部
９  受け部材
１０  ドア用部材
１１  ストッパー部材
１３  凹部（係合部）
１４  本体部材
１５  傾斜部
１６  開口部
１７  天面部（上面壁部）
１８  第１側面部（当接壁部）
１９  第２側面部（後退阻止壁）
２０ａ  磁石（傾斜部に設けられる磁石）
２０ｂ  磁石（天面部に設けられる磁石）
２１  係合空間
２２  台座
２３  揺動板
２４  突出部
２５  移動板
２６  固定軸
２７  移動軸
２８  収納凹部
３０  固定用孔
３２  解除部材
３５  淵部
３６  ネジ
３７  ネジ孔
３８  軸孔
３９  位置決め部材配置穴
４０  位置決め手段
４１  ボール
４２  ばね
４３  固定部材
４５  軸
４８  固定軸用挿入孔
５０  固定軸用挿入孔
５１  移動軸用挿入孔
５２  移動軸用挿入孔
９０  ドア
９１  床
【図１】
2010138572.tif 000003
【図２】
2010138572.tif 000004
【図３】
2010138572.tif 000005
【図４】
2010138572.tif 000006
【図５】
2010138572.tif 000007
【図６】
2010138572.tif 000008
【図７】
2010138572.tif 000009
【図８】
2010138572.tif 000010
【図９】
2010138572.tif 000011
【図１０】
2010138572.tif 000012
【図１１】
2010138572.tif 000013
【図１２】
2010138572.tif 000014
【図１３】
2010138572.tif 000015
【図１４】
2010138572.tif 000016